(57)【特許請求の範囲】
【請求項１】
湯水を貯湯する貯湯タンクと、該貯湯タンク内の湯水を加熱する加熱手段と、前記貯湯タンク内の湯水と浴槽内の浴水とを熱交換して前記浴槽内の浴水を追い焚きする風呂熱交換器と、前記貯湯タンク内の湯水を前記浴槽内に直接供給して浴水温度を上げる湯張り管と、浴水温度を検知する風呂戻り管温度センサと、前記貯湯タンク内の湯温を検知する貯湯温度センサと、前記追い焚きを開始させる追い焚きスイッチや高温差し湯スイッチ及び表示部を備えたリモコンと、前記追い焚き運転や高温差し湯運転を制御する制御手段とを備えたものに於いて、前記制御手段には、追い焚きスイッチの操作で、浴槽内の浴水温度と風呂湯量と、貯湯タンク内の貯湯温度と残湯量と、設定風呂温度とから追い焚き時間を推定する追い焚き時間推定手段が設けられ、この推定追い焚き時間を現在浴水温度、設定風呂温度と共に、前記リモコンの表示部に表示する事を特徴とする貯湯式風呂装置。
【請求項２】
前記制御手段には、追い焚きスイッチの操作で、浴槽内の浴水温度と風呂湯量と、高温差し湯の熱量から高温差し湯後の浴槽内浴水温度を推定すると共に、設定風呂温度になる高温差し湯回数を推定する高温差し湯推定手段が設けられ、この推定高温差し湯回数を、リモコンの表示部に表示する事を特徴とする請求項１記載の貯湯式風呂装置。
【発明の詳細な説明】
【技術分野】
【０００１】
この発明は、推定追い焚き時間や推定の高温差し湯後の風呂温度や、推定の必要高温差し湯回数を表示する貯湯式風呂装置に関するものである。
【背景技術】
【０００２】
従来よりこの種の貯湯式給湯装置に於いては、貯湯タンクの外周に高さ方向に複数の貯湯温度センサを設けて、この貯湯温度センサの検知温度を演算することで、貯湯タンク内に残っている使用可能な残湯量をリモコンの表示部にグラフ表示するものであった。（特許文献１参照。）
【先行技術文献】
【特許文献】
【０００３】
【特許文献１】特開２００４−３６０９５６号公報
【発明の概要】
【発明が解決しようとする課題】
【０００４】
ところでこの従来のものでは、貯湯タンク内に残っている使用可能な残湯量は表示されるが、湯温は表示されないので、風呂の追い焚きを行うものでは、追い焚きが可能かどうかが分からず、ましてや追い焚きにどれだけの時間がかかるかを知ることは出来ないものであり、更に高温差し湯で浴槽内の浴水を沸き上げても何度に沸き上がるかを事前に知ることも出来ないものであった。
【課題を解決するための手段】
【０００５】
請求項１の発明は上記課題を解決するために、特にその構成を、湯水を貯湯する貯湯タンクと、該貯湯タンク内の湯水を加熱する加熱手段と、前記貯湯タンク内の湯水と浴槽内の浴水とを熱交換して前記浴槽内の浴水を追い焚きする風呂熱交換器と、前記貯湯タンク内の湯水を前記浴槽内に直接供給して浴水温度を上げる湯張り管と、浴水温度を検知する風呂戻り管温度センサと、前記貯湯タンク内の湯温を検知する貯湯温度センサと、前記追い焚きを開始させる追い焚きスイッチや高温差し湯スイッチ及び表示部を備えたリモコンと、前記追い焚き運転や高温差し湯運転を制御する制御手段とを備えたものに於いて、前記制御手段には、追い焚きスイッチの操作で、浴槽内の浴水温度と風呂湯量と、貯湯タンク内の貯湯温度と残湯量と、設定風呂温度とから追い焚き時間を推定する追い焚き時間推定手段が設けられ、この推定追い焚き時間を現在浴水温度、設定風呂温度と共に、前記リモコンの表示部に表示するものである。
【０００６】
又請求項２では、前記制御手段には、追い焚きスイッチの操作で、浴槽内の浴水温度と風呂湯量と、高温差し湯の熱量から高温差し湯後の浴槽内浴水温度を推定すると共に、設定風呂温度になる高温差し湯回数を推定する高温差し湯推定手段が設けられ、この推定高温差し湯回数を、リモコンの表示部に表示するものである。
【発明の効果】
【０００７】
以上のように請求項１の発明によれば、推定ではあるが沸き上げまでの追い焚き時間が表示されるので、おおよその目安が立つと共に、長すぎる時には追い焚きを中止したり、設定風呂温度を下げる等の対策を講ずることも出来、極めて使用勝手が良く安心して使用することが出来るものである。
【０００８】
又請求項２によれば、前記の推定追い焚き時間に加えて、高温差し湯による推定高温差し湯回数を表示するので、この表示を見てからどちらにするかを選択することも出来、その時の状態に応じて選ぶことが可能で、更に使用勝手が良く安心して使用することが出来るものである。
【図面の簡単な説明】
【０００９】
【図１】この発明の一実施形態の概略構成図。
【図２】同電気回路の要部ブロック図。
【図３】同追い焚き及び高温差し湯の表示を示すフローチャート。
【図４】同リモコンの表示部の表示例を示す図。
【発明を実施するための形態】
【００１０】
次に、この発明の貯湯式風呂装置の一実施形態を図面に基づき説明する。
１は湯水を貯湯する貯湯タンク２を備えた貯湯タンクユニットであり、３は貯湯タンク２内に貯湯された湯水を加熱する加熱手段としてのヒートポンプユニット、４は台所や洗面所等に設けられた給湯栓、５は前記貯湯式給湯装置を遠隔操作するリモコン、６は浴槽である。
【００１１】
前記貯湯タンクユニット１内にある貯湯タンク２は、上端に高温水を出湯する出湯管７と、下端に水道水を給水する給水管８とが接続されている。また、貯湯タンク２下部からヒートポンプユニット３を配管で繋ぐヒーポン往き管９と、ヒートポンプユニット３から貯湯タンク２上部を配管で繋ぐヒーポン戻り管１０とが接続されている。
【００１２】
前記ヒートポンプユニット３内には、圧縮機１１、凝縮器としての冷媒水熱交換器１２、電子膨張弁１３、強制空冷式の蒸発器１４で構成されたヒートポンプサイクル１５が設置されており、貯湯タンク２内の湯水を前記ヒーポン往き管９からヒートポンプユニット３へ搬送して、冷媒水熱交換器１２で加熱されヒーポン戻り管１０から貯湯タンク２へ搬送するヒーポン循環ポンプ１６がヒーポン往き管９途中に設置されており、その駆動を制御するヒーポン制御部１７が備えられており、外気温センサ１８が凍結危険温度の外気温を検知した時には、ヒーポン制御部１７は凍結防止運転を行わせるものである。
【００１３】
１９は前記浴槽６の浴水を加熱するためのステンレス製の蛇管よりなる風呂熱交換器であり、貯湯タンク２内の上部に配置されており、この風呂熱交換器１９には風呂往き管２０及び浴水を搬送するための風呂循環ポンプ２１を備えた風呂戻り管２２よりなる風呂循環回路２３が接続され、浴槽６内の浴水が貯湯タンク２内の高温水によって加熱されて保温あるいは追い焚きが行われる。
【００１４】
２４は風呂戻り管２２から風呂熱交換器１９に流入する浴水の温度を検出する風呂戻り管温度センサであり、２５は風呂熱交換器１９から流出して風呂戻り管２０から浴槽６へ流れ込む浴槽水の温度を検出する風呂往き管温度センサである。
【００１５】
２６は風呂戻り管２２の風呂戻り管温度センサ２４と風呂熱交換器１９の間に設置された風呂三方弁であり、２７は風呂三方弁２６の弁開度を変えることで風呂往き管２０の風呂往き温度センサ２５と風呂熱交換器１９の間の配管に浴水が流入するように接続された風呂循環バイパス管である。
【００１６】
２８は出湯管７で搬送されてきた高温水と給水管８から分岐した第１給水バイパス管２９内の低温水を混合する給湯混合弁であり、その下流に接続された給湯管３０に設けられた給湯サーミスタから成る給湯温度センサ３１で検出した温度がリモコン５で使用者が設定した給湯設定温度になるよう弁開度を調節するものであり、３２は給湯する湯水の流れを検知して給湯の有無を判断させる給湯フローセンサである。
【００１７】
３３は出湯管７から分岐されて風呂戻り管２２に連通された湯張り管で、分岐部分の近傍には貯湯タンク２からの高温水と、第１給水バイパス管２９から分岐した第２給水バイパス管３４からの低温水とを混合して所定温度の湯張り温水とする風呂混合弁３５が備えられ、又この湯張り管３３には浴槽６への湯張り開始と停止及び高温差し湯を行う湯張り弁３６と、浴槽６への湯張り量及び高温差し湯量をカウントする風呂流量カウンタ３７と、浴槽６内の浴水が出湯管７に逆流するのを防止する逆止弁３８とが設けられており、貯湯タンク２内の高温水を浴槽６に直接差し湯して追い焚きを行う際にもこの湯張り管３３を介して行うものである。
【００１８】
３９は貯湯タンク２の上下方向に複数個配置された貯湯温度センサであり、貯湯タンク２の上方向から順に３９ａ、３９ｂ、３９ｃ、３９ｄ、３９ｅとし、この貯湯温度センサ３９が検出する温度情報によって貯湯タンク２内の残熱量と湯温を検知し、そして貯湯タンク２の上下方向の温度分布を検知するものである。
【００１９】
前記リモコン５には、給湯設定温度を設定する給湯温度設定スイッチ４０と、風呂設定温度を設定する風呂温度設定スイッチ４１とがそれぞれ設けられていると共に、浴槽６へ風呂設定温度の湯をリモコン５の湯張り量設定スイッチ（図示せず）で設定された湯張り量だけ湯張りする風呂自動スイッチ４２と、浴水を追い焚きさせる追い焚きスイッチ４３と、貯湯タンク２内の高温水を湯張り管３３から浴槽６内に所定量差し湯して浴水温度を上げる高温差し湯スイッチ４４とが設けられ、又給湯設定温度や設定風呂温度Ａ、現在浴水温度Ｂや推定追い焚き時間Ｃ、高温差し湯回数Ｄや高温差し湯１回での浴水温度Ｅを表示する表示部４５が備えられている。
【００２０】
４６は貯湯タンクユニット１内に設置された各センサの入力を受け各アクチュエーターの駆動を制御すると共に、現在時刻を刻む時計機能も有したマイコンから成る制御手段である。この制御手段４６に前記リモコン５が無線もしくは有線によって接続され、使用者が所望の給湯設定温度及び風呂設定温度を設定可能としている。
【００２１】
前記制御手段４６には、追い焚きスイッチ４３の操作で、風呂戻り管温度センサ２５で浴槽６内の現在浴水温度を検知し、風呂循環回路２３に備えられた水位センサ４７で風呂湯量を検知し、更に貯湯温度センサ３９により貯湯タンク２内の貯湯温度と残湯量を検知し、設定風呂温度から、１分毎の追い焚き出力を推定し、浴槽６内の浴水の上昇温度を推定する。この推定結果と追い焚き終了温度を比較し、追い焚き所要時間を演算する追い焚き時間推定手段４８が設けられ、この推定追い焚き時間Ｃを現在浴水温度Ｂ、設定風呂温度Ａと共に、前記リモコン５の表示部４５に分かりやすく表示するものである。
【００２２】
更に前記制御手段４６には、前記追い焚きスイッチ４３の操作で、前記検知した浴槽６内の浴水温度と風呂湯量を入力し、貯湯温度センサ３９により高温差し湯の熱量を検知し、この高温差し湯の熱量とから、高温差し湯完了後の浴槽６内の浴水温度を推定すると共に、設定風呂温度になる高温差し湯回数を算出する高温差し湯推定手段４９が設けられ、この推定高温差し湯回数Ｄを、リモコン５の表示部４５に表示するものである。又この高温差し湯推定手段４９は、高温差し湯回数１回での浴水温度Ｅも演算推定して表示するものである。
【００２３】
５０は貯湯タンク２内の圧力が所定値を超えた際に作動する過圧逃がし弁であり、出湯管７の先端に備えられ過圧で開弁して、過圧分の高温水を逃がし管５１を介して排水して圧力を調整し閉弁するものであり、５２は給湯管３０の給湯温度センサ３１より給湯栓４側に備えられた逆止弁である。
【００２４】
次にこの一実施形態の作動を図２に示すフローチャートに基づいて説明する。
今リモコン５の追い焚きスイッチ４３を押圧することで（ステップＳ１）、ＹＥＳでステップＳ２に進み風呂三方弁２６を追い焚き側に切替ると共に、風呂循環ポンプ２１を駆動して浴槽６内の浴水を数十秒間循環させ、ステップＳ３で風呂戻り管温度センサ２５が検知した浴槽６内の現在浴水温度が設定風呂温度未満かを判断し、ＹＥＳでステップＳ４に進むのである。
【００２５】
そしてステップＳ４では追い焚き時間推定手段４８が、風呂戻り管温度センサ２５が検知した浴槽６内の現在浴水温度、水位センサ４７が検知した風呂湯量、貯湯温度センサ３９が検知した貯湯タンク２内の貯湯温度と残湯量、それに設定風呂温度から、１分毎の追い焚き出力を推定し、浴槽６内の浴水の上昇温度を推定して、この推定結果と追い焚き終了温度を比較し、追い焚き所要時間を演算する。
【００２６】
更にこのステップＳ４では高温差し湯推定手段４９が、前記検知された現在浴水温度と風呂湯量、貯湯温度センサ３９が検知した高温差し湯の熱量、この高温差し湯の熱量とから、高温差し湯完了後の浴槽６内の浴水温度を推定すると共に、設定風呂温度になる高温差し湯回数を算出し、この推定高温差し湯回数を推定する。又この高温差し湯推定手段４９は、高温差し湯１回での浴水温度も演算推定する。
【００２７】
そしてステップＳ５に進みリモコン５の表示部４５に、前記追い焚き時間推定手段４８で推定された現在浴水温度Ｂ、設定風呂温度Ａ、現在浴水温度Ｂが設定風呂温度Ａになるまでの追い焚き時間Ｃを表示すると共に、高温差し湯推定手段４９で推定されたび高温差し湯回数Ｄ及び高温差し湯回数１回での浴水温度Ｅを表示するものである。
【００２８】
次にステップＳ６に進み前記表示を見て使用者が高温差し湯に切替ることが考えられるので、高温差し湯スイッチ４４が押圧されたかを判断し、ＹＥＳで風呂循環ポンプ２１の駆動を停止し、貯湯タンク２内の高温水を湯張り管３３から浴槽６内に所定量差し湯して浴水温度を上げる高温差し湯運転が行われるものであり、ＮＯでは風呂循環ポンプ２１を継続して駆動し、浴水を浴槽６と風呂熱交換器１９間を循環させて、貯湯タンク２内の高温水と熱交換して順次昇温させて設定風呂温度まで追い焚き運転を行わせるものである。
【００２９】
このように、推定ではあるが沸き上げまでの追い焚き時間Ｅが表示されるので、おおよその目安が立つと共に、長すぎる時には追い焚きを中止したり、設定風呂温度を下げる等の対策を講ずることも出来、更に推定追い焚き時間に加えて、高温差し湯による推定高温差し湯回数Ｄを表示するので、この表示を見て速い方を選択することも出来、その時の状態に応じて選ぶことが可能で、極めて使用勝手が良く安心して使用することが出来るものである。
【００３０】
又高温差し湯回数１回での浴水温度Ｅも表示されると、いちいち湯かげんを見て高温差し湯を更に行うかを考える必要もなくなり、指示通りに行えば良いものであり、極めて便利である。
【００３１】
更に台所リモコンと浴室リモコンのようにリモコンが２つある時には、各リモコンを認識して、台所リモコンで追い焚きが指示された場合は、風呂三方弁２６を風呂循環バイパス管２７側を浴水が循環するようにした浴水温度を検知するようにして、まだ台所に居て追い焚きを急ぐ必要がないので、風呂熱交換器１９で温度上昇した浴水温度を検知せず、正確な浴水温度を検知してから追い焚きに進ようにし、浴室リモコンで追い焚きが指示された場合は、使用者が入浴中で追い焚きを急ぐ必要があるとして、風呂三方弁２６を風呂熱交換器１９側として追い焚きしながら、浴水温度検知するようにして、正確な温度より素速い追い焚き運転を優先させるようにしても良いものである。
【符号の説明】
【００３２】
２  貯湯タンク
３  加熱手段（ヒートポンプユニット）
５  リモコン
６  浴槽
１９  風呂熱交換器
２１  風呂循環ポンプ
２５  風呂戻り管温度センサ
３３  湯張り管
４３  追い焚きスイッチ
４４  高温差し湯スイッチ
４５  表示部
４６  制御手段
４８  追い焚き時間推定手段
４９  高温差し湯推定手段
Ａ  設定風呂温度
Ｂ  現在浴水温度
Ｃ  追い焚き時間
【図１】
0005710456.tif 000002
【図２】
0005710456.tif 000003
【図３】
0005710456.tif 000004
【図４】
0005710456.tif 000005